(57)【要約】【課題】開閉回動機構により蓋体を収納籠体の上面を閉塞可能な閉塞位置、蓋体を起立可能な起立位置及び蓋体を収納籠体の上面を開口可能な退避位置に開閉回動させることができ、この起立位置において、蓋体に設けた得点表示部により各種球技の経過得点を表示することができ、蓋体に蓋機能及び得点表示機能を兼用するすることができ、かつ、退避位置において、ボールを開口する上面を介して収納籠体内に複数個収納することができる。【解決手段】各種球技用のボールＷを収納可能な上面が開口する収納籠体１及び収納籠体の上面を開閉可能な蓋体２からなり、蓋体を収納籠体の上面を閉塞可能な閉塞位置Ｈ、蓋体を起立可能な起立位置Ｋ及び蓋体を収納籠体の上面を開口可能な退避位置Ｔに開閉揺動可能な開閉回動機構３を設け、蓋体に各種球技の経過得点を表示可能な得点表示部５を設けてなる。【選択図】図１
2008173240.tif 000002
【特許請求の範囲】
【請求項１】
各種球技用のボールを収納可能な上面が開口する収納籠体及び該収納籠体の上面を開閉可能な蓋体からなり、上記蓋体を上記収納籠体の上面を閉塞可能な閉塞位置、該蓋体を起立可能な起立位置及び該蓋体を該収納籠体の上面を開口可能な退避位置に開閉揺動可能な開閉回動機構を設け、該蓋体に各種球技の経過得点を表示可能な得点表示部を設けてなることを特徴とするボール収納具。
【請求項２】
上記収納籠体に上記蓋体の基部を移動案内可能な移動案内機構を設けてなることを特徴とする請求項１記載のボール収納具。
【請求項３】
上記蓋体の上記閉塞位置での開口を阻止可能な施錠具を設けてなることを特徴とする請求項１又は２記載のボール収納具。
【請求項４】
上記開閉回動機構及び上記移動案内機構として、上記収納籠体にガイドレール部を設け、該ガイドレール部に移動部材を移動自在に設け、該移動部材に上記蓋体の基部を枢着部により開閉回動自在に設けてなることを特徴とする請求項２又は３記載のボール収納具。
【請求項５】
上記収納籠体の構成枠体を上記ガイドレール部に兼用していることを特徴とする請求項４記載のボール収納具。
【発明の詳細な説明】
【技術分野】
【０００１】
本発明は例えばバレーボール、バスケットボール、ドッジボール、サッカーボール、野球用ボール、テニスボール、ハンドボール、ラグビーボール等の各種球技に使用されるボールの収納に用いられるボール収納具に関するものである。
【背景技術】
【０００２】
従来、この種のボール収納具として、各種球技用のボールを収納可能な収納籠にネットや備品などの収納箱を装着してなる構造のものや、平たい架台にスティック掛杆、ボール受け及び得点表示具を設けた構造のものが知られている。
【特許文献１】実開平１−１５７７７３号公報
【特許文献２】実開昭６１−３１４７８号公報
【発明の開示】
【発明が解決しようとする課題】
【０００３】
しかしながらこれら従来構造の場合、上記収納籠及び上記ボール受けの上方は開放状態であり、収納されているボールの盗難が生ずるおそれがあるという不都合を有している。
【課題を解決するための手段】
【０００４】
本発明はこれらの不都合を解決することを目的とするもので、本発明のうちで、請求項１記載の発明は、各種球技用のボールを収納可能な上面が開口する収納籠体及び該収納籠体の上面を開閉可能な蓋体からなり、上記蓋体を上記収納籠体の上面を閉塞可能な閉塞位置、該蓋体を起立可能な起立位置及び該蓋体を該収納籠体の上面を開口可能な退避位置に開閉回動可能な開閉回動機構を設け、該蓋体に各種球技の経過得点を表示可能な得点表示部を設けてなることを特徴とするボール収納具にある。
【０００５】
又、請求項２記載の発明は、上記収納籠体に上記蓋体の基部を移動案内可能な移動案内機構を設けてなることを特徴とするものであり、又、請求項３記載の発明は、上記蓋体の上記閉塞位置での開口を阻止可能な施錠具を設けてなることを特徴とするものである。
【０００６】
又、請求項４記載の発明は、上記開閉案内機構及び上記移動案内機構として、上記収納籠体にガイドレール部を設け、該ガイドレール部に移動部材を移動自在に設け、該移動部材に上記蓋体の基部を枢着部により開閉回動自在に設けてなることを特徴とするものであり、又、請求項５記載の発明は、上記収納籠体の構成枠体を上記ガイドレール部に兼用していることを特徴とするものである。
【発明の効果】
【０００７】
本発明は上述の如く、請求項１記載の発明にあっては、上記開閉回動機構により上記蓋体を上記収納籠体の上面を閉塞可能な閉塞位置、蓋体を起立可能な起立位置及び蓋体を収納籠体の上面を開口可能な退避位置に開閉回動させることができ、この起立位置において、蓋体に設けた得点表示部により各種球技の経過得点を表示することができ、蓋体に蓋機能及び得点表示機能を兼用するすることができ、かつ、上記退避位置において、ボールを開口する上面を介して収納籠体内に複数個収納することができ、さらに、上記閉塞位置において、上記収納籠体の上面を閉塞することができ、それだけ、ボール収納具としての機能性を高めることができると共に収納籠体の上面を蓋体により閉塞することができて収納籠体内に収納されているボールの盗難を防ぐことができ、使用の安全性を高めることができる。
【０００８】
又、請求項２記載の発明にあっては、上記収納籠体に上記蓋体の基部を移動案内可能な移動案内機構を設けているから、上記蓋体を上記閉塞位置、上記起立位置及び上記退避位置の所定位置に容易に移動させることができ、又、請求項３記載の発明にあっては、上記蓋体の上記閉塞位置での開口を阻止可能な施錠具を設けているから、収納籠体の上面を蓋体により確実に閉塞することができ、収納籠体内に収納されているボールの盗難を確実に防ぐことができる。
【０００９】
又、請求項４記載の発明にあっては、上記開閉案内機構及び上記移動案内機構として、上記収納籠体にガイドレール部を設け、ガイドレール部に移動部材を移動自在に設け、移動部材に上記蓋体の基部を枢着部により開閉揺動自在に設けてなるから、上記開閉案内機構及び上記移動案内機構の構造を簡素化することができ、又、請求項５記載の発明にあっては、上記収納籠体の構成枠体を上記ガイドレール部に兼用しているから、収納籠体及び上記移動案内機構の構造を簡素化することができる。
【発明を実施するための最良の形態】
【００１０】
図１乃至図８は本発明をバスケットボール用のボール収納具に適用した実施の形態例を示し、１は収納籠体であって、左右の構成枠体１ａ・１ａ間に複数個の横杆１ｂ・１ｂ・・を架設すると共に上下の横杆１ｂ・１ｂ・・間に複数個の縦桟１ｃ・１ｃ・・を縦設し、底隅部にキャスタ１ｄ・１ｄ・・を配置し、これら構成枠体１ａ・１ａ、横杆１ｂ・１ｂ・・及び縦桟１ｃ・１ｃ・・により上面が開口する四角籠状に形成され、各種球技用のボールＷを開口する上面を介して複数個投入収納可能な形状に形成されている。
【００１１】
２は蓋体、３は開閉回動機構であって、この蓋体２は枠体２ａ及び複数個の桟杆２ｂからなる四角枠状にして、上記収納籠体１の上面を開閉可能に設けられ、かつ、この蓋体２は開閉回動機構３により該収納籠体１の上面を閉塞可能な閉塞位置Ｈ、蓋体２を起立可能な起立位置Ｋ及び蓋体２を収納籠体１の上面を開口可能な退避位置Ｔに開閉回動可能に設けられている。
【００１２】
４は移動案内機構であって、上記収納籠体１に設けられ、上記蓋体２の基部は移動案内機構４により移動案内可能に設けられている。
【００１３】
５は得点表示部であって、上記蓋体２の表面側に設けられ、各種球技の経過得点を表示可能に設けられている。
【００１４】
この場合、上記開閉回動機構３及び上記移動案内機構４として、上記収納籠体１にガイドレール部４ａ・４ａを設け、このガイドレール部４ａ・４ａは上記構成枠体１ａ・１ａとして兼用され、このガイドレール部４ａ・４ａに移動部材４ｂ・４ｂをガイドレール部４ａ・４ａに沿って移動自在に嵌合し、移動部材４ｂ・４ｂに移動部材４ｂ・４ｂの移動位置を固定可能な止着ボルト４ｃ・４ｃを設け、この移動部材４ｂ・４ｂに上記蓋体２の枠体２ａの基部を軸状の枢着部３ａにより開閉回動自在に設け、収納籠体１の横桟１ｂにステー杆３ｂの基部を軸３ｃにより起倒自在に枢着し、ステー杆３ｂを倒伏位置に保持可能なクリップ状の保持部３ｄを設けると共にステー杆３ｂの先端部にリング状の係止部３ｅを形成し、蓋体２に係止部３ｅに係合して蓋体２を起立位置Ｋに保持可能な係止杆３ｆを係止部３ｅに対して係脱自在に突設して構成している。
【００１５】
６は施錠具であって、この場合、所謂、鍵やダイヤル式の南京錠が用いられ、上記蓋体２に突片２ｃを形成すると共に収納籠体１に突片１ｅを突設し、この突片２ｃ及び突片１ｅにそれぞれ挿通穴２ｄ・１ｆを形成し、上記閉塞位置Ｈにおいて、南京錠のＪ状の棹杆６ａを挿通穴２ｄ・１ｆに挿通施錠して蓋体２の回動を阻止して収納籠体１の上面の開口を阻止可能に構成している。
【００１６】
また、この場合、上記得点表示部５は、上記蓋体２上部に複数枚の得点札５ａ及び試合セット札５ｂを止め板５ｃにより捲り上げ自在に吊下し、下部に記入ボード５ｄを取り付け、かつ、蓋体２に不使用時に得点札５ａ及び試合セット札５ｂの遊動を防ぐ中程部の折曲軸５ｅで折曲可能な押さえ杆５ｆをクリップ状の保持部５ｇ・５ｈにより保持して構成している。
【００１７】
この実施の形態例は上記構成であるから、図１、図２及び図３の如く、上記開閉回動機構３の枢着部３ａを中心として蓋体２を起立位置Ｋに保持することにより、蓋体２に設けた得点表示部５によりバスケットボールたる球技試合の経過得点を表示することができ、かつ、図５の如く、押さえ杆５ｆにより得点札５ａ及び試合セット札５ｂの捲り上がりを防いだ状態で、図６の如く、上記開閉回動機構３の枢着部３ａを中心として蓋体２を回動して、蓋体２を収納籠体１の上面を開口可能な退避位置Ｔ、この場合、収納籠体１の側面に沿った退避位置Ｔに開閉回動させることにより収納籠体１の上面を開口することができ、各種球技用のボールＷを開口する上面を介して収納籠体１内に複数個投入収納することができ、更に、図７の如く、上記開閉揺動機構３の枢着部３ａを中心として蓋体２を回動して、蓋体２を収納籠体１の上面を閉塞可能な閉塞位置Ｈに回動させることができる。
【００１８】
従って、上記開閉回動機構３により上記蓋体２を上記収納籠体１の上面を閉塞可能な閉塞位置Ｈ、蓋体２を起立可能な起立位置Ｋ及び蓋体２を収納籠体１の上面を開口可能な退避位置Ｔに開閉回動させることができ、この起立位置Ｋにおいて、蓋体２に設けた得点表示部５により各種球技の経過得点を表示することができ、蓋体２に蓋機能及び得点表示機能を兼用するすることができ、かつ、上記退避位置Ｔにおいて、ボールＷを開口する上面を介して収納籠体１内に複数個投入収納することができ、さらに、上記閉塞位置Ｈにおいて、上記収納籠体１の上面を閉塞することができ、それだけ、ボール収納具としての機能性を高めることができると共に収納籠体１の上面を蓋体２により閉塞することができて収納籠体１内に収納されているボールの盗難を防ぐことができ、使用の安全性を高めることができる。
【００１９】
又、この場合、上記収納籠体１に上記蓋体２の基部を移動案内可能な移動案内機構４を設けているから、上記蓋体２を上記閉塞位置Ｈ、上記起立位置Ｋ及び上記退避位置Ｔの所定位置に容易に移動させることができ、又、この場合、上記蓋体２の上記閉塞位置Ｈでの開口を阻止可能な施錠具６を設けているから、収納籠体１の上面を蓋体２により収納籠体１の上面に沿った状態で確実に閉塞することができ、収納されているボールの盗難を確実に防ぐことができる。
【００２０】
又、この場合、上記開閉案内機構３及び上記移動案内機構４として、上記収納籠体１にガイドレール部４ａを設け、ガイドレール部４ａに移動部材４ｂを移動自在に設け、移動部材４ｂに上記蓋体２の基部を枢着部３ａにより開閉揺動自在に設けてなるから、上記開閉案内機構３及び上記移動案内機構４の構造を簡素化することができ、又、この場合、上記収納籠体１の構成枠体１ａを上記ガイドレール部４ａに兼用しているから、収納籠体１及び上記移動案内機構４の構造を簡素化することができる。
【００２１】
尚、本発明は上記実施の形態例に限られるものではなく、収納籠体１、蓋体２、開閉回動機構３、移動案内機構４及び得点表示部５の形態や構造、収納籠体１に対する起立位置Ｋの設定等は適宜変更して設計されるものである。
【００２２】
以上、所期の目的を充分達成することができる。
【図面の簡単な説明】
【００２３】
【図１】本発明の実施の形態例の全体斜視図である。
【図２】本発明の実施の形態例の正面図である。
【図３】本発明の実施の形態例の部分拡大断面図である。
【図４】本発明の実施の形態例の拡大部分断面図である。
【図５】本発明の実施の形態例の正面図である。
【図６】本発明の実施の形態例の側面図である。
【図７】本発明の実施の形態例の側面図である。
【図８】本発明の実施の形態例の部分断面図である。
【符号の説明】
【００２４】
Ｗ    ボール
Ｈ    閉塞位置
Ｋ    起立位置
Ｔ    退避位置
１    収納籠体
１ａ    構成枠体
２    蓋体
３    開閉回動機構
３ａ    枢着部
４    移動案内機構
５    得点表示部
６    施錠具
【図１】
2008173240.tif 000003
【図２】
2008173240.tif 000004
【図３】
2008173240.tif 000005
【図４】
2008173240.tif 000006
【図５】
2008173240.tif 000007
【図６】
2008173240.tif 000008
【図７】
2008173240.tif 000009
【図８】
2008173240.tif 000010